(57)【要約】      （修正有）【課題】頭絡の長さ調整用結び目の位置の判別と解除を容易にして、頭絡のサイズ調整を迅速且つ容易に行うことができるばかりでなく、家畜個体を一瞥して識別できるようにした家畜の識別用タグを提供する。【解決手段】家畜の識別用タグ１を、円形の表示プレート１ａと矩形状の窓口を有するリンク部とを一体的に成形して構成する。リンク部にはリンク部の窓口を拡径するため切欠き１ｃを設け、リンクの下縁内周面には頭絡の結び目の紐に噛合する一対の楔部１ｄを突設する。【選択図】図１
0003159432.tif 000002
【実用新案登録請求の範囲】
【請求項１】
家畜の鼻上げ部に二股に分けて締結された紐状の頭部保持部を備えた頭絡の組み紐状に締結された長さ調節用の結び目に嵌装可能な窓口を有するリンク部と、結び目の紐に噛合する少なくとも一つの楔部を前記窓口の内周面に突設したことを特徴とする家畜の識別用タグ。
【請求項２】
家畜の個体名称、雌・雄、出生日、体重・予防接種日等の管理記録、産地ブランドが記載可能な表示部を設けたことを特徴とする請求項１記載の家畜の識別用タグ。
【請求項３】
窓口にリンク部の外側から内側に向かって離間距離が漸次狭小となる切欠きが設けられていることを特徴とする請求項１又は請求項２記載の家畜の識別用タグ。
【考案の詳細な説明】
【技術分野】
【０００１】
本考案は、牛、馬、羊等の家畜の頭部を保持して手綱を繋いで使用される頭絡に取り付ける治具に関し、とくにその結び目を弛緩させて解す機能を備えた家畜の識別用タグに関するものである。
【背景技術】
【０００２】
従来、例えば、飼育牛の牽引移動は、牛の鼻孔に鼻環を挿嵌し、その鼻環に牽引ロープを締結して行われるが、牛の鼻先のみを固定する方法では牽引状態が不安定になり、牽引中の牛が暴れて鼻柱が切れたり、牽引者が負傷する事故が発生していた。そこで、牛の角への掛止部を備えた頭絡を頭部に取り付ける方法があるが、とくに、近年の肉牛はその肉質向上のための改良に起因して従来の肥育牛に比べて性質が凶暴になってきており、角の短い子牛ばかりでなく市場に出荷される親牛も除角されたものが多い。このため、角に掛止するタイプの頭絡では確実に頭部を保持することが困難であった。
【０００３】
そこで、図３に示すような、頭部保持部４ａ及び４ｂと顎掛け部５の両端の接点部分が組紐状の結び目にされた長さ調節部６ａ及び６ｂを備えた頭絡３が使用されている。この頭絡３は、頑強な化学繊維で作られた編み紐を二重にして作られており、鼻上部（鼻環）２の止め金具２ｂに、紐の一端を二股に分けて締結された頭部保持部４ａ及び４ｂの略中間を跨いで顎掛け部５が設けられたもので、この頭絡３を装着することで牛の頭部が確実に保持され、安定した状態で牽引することができるばかりでなく、長さ調節部６ａ及び６ｂの結び目を緩めて位置を変えることで牛の成長に応じて全体のサイズを簡便に変更できるようにされている。
【０００４】
他にも、例えば、馬が頭部を上げようとすると、一端を腹帯に取り付けられたレーンの引張力により口部内に口輪を咥えている馬の下顎が引っ張られ、馬の頭部が上がるのを阻止して姿勢を矯正するようにした頭部姿勢矯正用馬具の着脱装置（特許文献１参照。）。一方、家畜の耳に連結されるデータキャリアとアンテナを備えた家畜管理用のタグ（特許文献２参照。）もトレーサビリティ管理のために使用されている。
【先行技術文献】
【特許文献】
【０００５】
【特許文献１】実用新案登録第３０４９５７１号公報
【特許文献２】特開平成６−３２７３７０号公報
【特許文献３】実公平６−４６２８９号公報
【考案の概要】
【考案が解決しようとする課題】
【０００６】
しかしながら、上記頭絡の使用に際し、長さ調整用結び目の位置の判別が困難（すなわち、調整する箇所が分かり難い）、堅く引き締まった結び目の解除が困難であるという要請が需要者からある。例えば、特許文献３には、鋸歯状の楔をロープに食い込ませロープを緊張するための器具は開示されているが、堅く引き締まった結び目を解くための専用治具は皆無である。また、いかに飼育業者であっても日々成長して容姿が変貌する家畜個体を目視により識別することも困難であった。本考案は上記従来技術の課題に鑑み、頭絡の長さ調整用結び目の位置の判別と解除を容易にして、頭絡のサイズ調整を迅速且つ容易に行うことができるばかりでなく、家畜個体を一瞥して識別できるようにした家畜の識別用タグを提供することを目的とするものである。
【課題を解決するための手段】
【０００７】
このため、本考案の家畜の識別用タグは、家畜の鼻上げ部に二股に分けて締結された紐状の頭部保持部を備えた頭絡の組み紐状に締結された長さ調節用の結び目に嵌装可能な窓口を有するリンク部と、結び目の紐に噛合する少なくとも一つの楔部を前記窓口の内周面に突設したことを第１の特徴とし、家畜の個体名称、雌・雄、出生日、体重・予防接種日等の管理記録、産地ブランドが記載可能な表示部を設けたことを特徴とする第２の特徴とする。また、窓口にリンク部の外側から内側に向かって離間距離が漸次狭小となる切欠きが設けられていることを第３の特徴とする。
【考案の効果】
【０００８】
本考案によれば下記の優れた効果がある。
（１）識別タグが目印になり、使用者は頭絡の長さ調整用結び目の位置を容易に判別できる。
（２）楔部が紐に食い込みタグの固着力が高まる。
（３）タグの楔部を紐に食い込ませて揺動することで、紐の堅く引き締まった結び目が弛緩し、その解除が容易になる。
（４）飼育者が家畜個体を目視により一瞥して識別することができる。
【図面の簡単な説明】
【０００９】
【図１】本考案に係る家畜の識別用タグを示す斜視図である。
【図２】識別用タグを頭絡に取り付けた状態を示す斜視図である。
【図３】頭絡の斜視図である。
【図４】頭絡を牛に取り付けた状態を示す斜視図である。
【考案を実施するための形態】
【実施例】
【００１０】
図１に示すように、本考案に係る家畜の識別用タグ１は、円形の表示プレート１ａと矩形状の窓口１ｅを有するリンク部１ｂとを一体的に成形して構成されている。タグ１の材質は射出成形できる可撓性のある合成樹脂、すなわちプラスチック等が好ましい。リンク部１ｂにはリンク部１ｂの窓口１eを拡径するため切欠き１ｃが設けられ、後述する頭絡３の長さ調整用の結び目６ａ及び６ｂに嵌合できるようにされている。尚、本実施例では切欠き１ｃをリンク部１ｂの外側から内側に向かって離間距離が漸次狭小となるように形成され、紐に嵌合し易く且つ脱落し難くされている。
【００１１】
また、リンク１ｂの下縁内周面には結び目６ａ及び６ｂの紐に噛合する一対の楔部１ｄが突設され、この楔部１ｄが紐に食い込み固着力が向上するばかりでなく、楔部１ｄを結び目６ａ及び６ｂの紐に食い込んだ状態で揺動させることで、紐の堅く引き締まった結び目が弛緩し、その解除を容易に行うことができる。
【００１２】
表示プレート１ａには家畜個体の名称、雌・雄、出生日、体重・予防接種日等の管理記録、産地ブランドが記載できるようにされており、通常、家畜の耳等を穿って取り付けられるトレーサビリティのための認識票とは別に、飼育者が家畜個体を目視により確実に識別することができ、日々成長し容姿が変貌する子牛も一瞥して識別することができる。また、本考案のタグ１は頭絡３の長さ調整部である結び目６ａ及び６ｂに取り付けられるので、需要者には、調整すべき箇所がどこであるかを容易に判別できる。
【００１３】
図２に示すように、頭絡は金属製の鼻上部（鼻環）２と化学繊維等で作られた紐状本体とから構成されている。鼻上部２は真鍮棒を環状に屈曲形成された挿通部２ａと止め金具２ｂから成り、挿通部２ａの両端に形成された雄ねじ部を止め金具２ｂの両端に形成された穴に挿通させたナット２ｃにより連結して設けられている。
【００１４】
頭絡３は、頑強な化学繊維で作られた編み紐を二重にして作られている。前記鼻上部２の止め金具２ｂには、その一端を二股に分けて締結された頭部保持部４ａ及び４ｂが連結して設けられ、これら頭部保持部４ａ及び４ｂの略中間を跨いで顎掛け部５が設けられている。
更に、頭部保持部４ａ及び４ｂと顎掛け部５の両端の接点部分には組紐状にされた長さ調節部６ａ及び６ｂが設けられている。
【００１５】
図４に示すように、頭絡の使用方法及び作用について説明すると、まず牛の鼻孔内に鼻上部２の挿通部２ａを挿通させ、止め金具２ｂにより固定する。次に、取り付ける牛の顎の長さに合わせて長さ調節部６ａ及び６ｂを調節して顎掛け部５を牛の顎に引っ掛ける。そして、頭部保持部４ａ及び４ｂの両端を牛の後頭部に廻して締結する。牛を牽引する際には、鼻上部２に牽引用のロープを締結して使用する。また、頭絡全体を外すときは、識別タグ１を後頭部の結び目に取り付けて使用してもよい。
【００１６】
尚、本考案における、リンク部１ｂの楔部１ｄの構成は、紐の結び目を解除することが要求される物品、例えば、靴紐や、船舶の係留ロープ、登山用ザイル等に応用可能である。また、楔部１ｄは少なくとも一つ設ければ所期の効果は果たせるが、噛合する紐の本数に応じた個数を設けるのが望ましい。また、表示プレート１ａの形状を正円だけではなく、楕円、三角形、矩形、その他の多角形や星型等に形成することでさらに識別力を得ることができる。また、彩色によってもアイキャッチ効果を高めることができる。
【符号の説明】
【００１７】
１    識別用タグ
１ａ  表示プレート
１ｂ  リンク部
１ｃ  切欠き
１ｄ  楔部
１ｅ  窓口
２    鼻上げ部（鼻環）
２ａ  挿通部
２ｂ  止め金具
３    頭絡
４ａ  頭部保持部
４ｂ  頭部保持部
５    顎掛け部
６ａ  結び目（長さ調節部）
６ｂ  結び目（長さ調節部）
【図１】
0003159432.tif 000003
【図２】
0003159432.tif 000004
【図３】
0003159432.tif 000005
【図４】
0003159432.tif 000006